(57)【要約】【課題】ペット用玩具において、ペットなどによる戯れを持続させることができ、これによってその様子を見る飼い主等の楽しさも持続させることができるようにする。【解決手段】転動自在な形状の外殻部材２と、この外殻部材２の中に設けられて外殻部材２の外側から与えられる情報を検出するセンサ２１と、外殻部材２の中に設けられて上記センサ２１からの検出信号を受けたときに外殻部材２の重心位置を電動駆動具８の作動により偏心させる電動偏心機構３とを有している。【選択図】図１
2005168438.tif 000002
【特許請求の範囲】
【請求項１】
球形又はこれに類する転動自在な形状に形成された外殻部材（２）と、この外殻部材（２）の中に設けられて外殻部材（２）の外側から与えられる情報を検出するセンサ（２１）と、外殻部材（２）の中に設けられて上記センサ（２１）からの検出信号を受けたときに外殻部材（２）の重心位置を電動アクチュエーター（８）の作動により偏心させる電動偏心機構（３）とを有していることを特徴とする転がり玩具。
【請求項２】
前記外殻部材（２）は、複数の分割体（２Ａ，２Ｂ）に分解したり元の形体へ組み立てたりが自在であり、分解して露出される部分に電源（１０）のオンオフスイッチ（２０）が設けられていることを特徴とする請求項１記載の転がり玩具。
【請求項３】
前記外殻部材（２）は、直径５ｃｍ以上２０ｃｍ以下の球形を目安として大きさが設定されていることを特徴とする請求項１又は請求項２記載の転がり玩具。
【請求項４】
前記センサ（２１）には光の入射又は遮断を検出する光学センサが用いられていることを特徴とする請求項１乃至請求項３のいずれかに記載の転がり玩具。
【請求項５】
前記電動偏心機構（３）は、外殻部材（２）の中でその重心位置を横断する配置で設けられる旋回支持軸（６）と、この旋回支持軸（６）に対して軸心から径方向へ外れた位置に設けられた偏心錘（７）とを有し、この偏心錘（７）が電動アクチュエーター（８）によって旋回支持軸（６）の軸心まわりを周回可能になっていることを特徴とする請求項１乃至請求項４のいずれかに記載の転がり玩具。
【請求項６】
前記電動偏心機構（３）の偏心錘（７）は、電動アクチュエーター（８）又はその駆動用電源（１０）によって形成されていることを特徴とする請求項５記載の転がり玩具。
【請求項７】
前記電動偏心機構（３）は、偏心錘（７）における１回の周回角度を１８０°未満として周回方向を不規則に正逆切り替えする制御回路を有していることを特徴とする請求項５又は請求項６記載の転がり玩具。
【請求項８】
前記電動偏心機構（３）には、センサ（２１）から検出信号を受けて所定時間動作する音声回路（２５）が設けられていることを特徴とする請求項１乃至請求項７のいずれかに記載の転がり玩具。
【請求項９】
前記電動偏心機構（３）には、センサ（２１）から検出信号を受けて所定時間発光部（２８）を発光させる発光回路（２６）が設けられていることを特徴とする請求項１乃至請求項８のいずれかに記載の転がり玩具。
【発明の詳細な説明】
【技術分野】
【０００１】
本発明は、転がり玩具に関するものである。
【背景技術】
【０００２】
犬や猫などのペットとのふれ合いを増長させるたのペット用玩具として、今日、種々様々なものが提案されている。これらを大別すると、立方体や多面体とすることでボールとは異なって不規則に転がるようにした転がしタイプ（特許文献１等参照）、偏心錘の内蔵により倒されても一定方向へ立ち上がるようにした起きあがりこぼしタイプ（特許文献２及び３等参照）、ペットなどが噛みつきやすいように突起部を設けた噛みつきタイプ（特許文献４等参照）、飼い主や見物人（以下「飼い主等」と言う）が遠くへ投げてペットなどに拾ってこさせるようにした拾い棒タイプ（特許文献５及び６等参照）といったところである。なお、これらの中には、発音体を内蔵させることでペットなどの興味を持続させるように期待したものもあった（特許文献５及び６参照）。ここで言う発音体とは鈴である。
【０００３】
いずれのものも、ペットなどが戯れる様子を飼い主等が見ることで、飼い主等がその微笑ましさ活発さなどを楽しむことを主眼に製作されている。
【特許文献１】特開平１０−１１７６２３号公報
【特許文献２】特開２００２−７８４３０号公報
【特許文献３】特開２００３−２４５０２６号公報
【特許文献４】特表２００２−５２７０８６号公報
【特許文献５】特開平１０−１３６８２６号公報
【特許文献６】特開２００２−２６２６９７号公報
【発明の開示】
【発明が解決しようとする課題】
【０００４】
上記した従来公知のペット用玩具では、いずれも趣向が単純であるためにペットなどにすぐ飽きられてしまうということがあった。それは発音体を内蔵させたものでも例外ではなかった。従って当然に、飼い主等にとっても十分に楽しむことができないことになる。
本発明は、上記事情に鑑みてなされたものであって、ペット用玩具として使用する場合にはペットなどによる戯れを持続させることができ、これによってその様子を見る飼い主等の楽しさも持続させることができるようにした転がり玩具を提供することを目的とする。
【０００５】
また本発明は、ペット用玩具としてだけでなく、人間用の玩具としての敷衍化が可能である転がり玩具を提供することを目的とする。
【課題を解決するための手段】
【０００６】
前記目的を達成するために、本発明は次の手段を講じた。
即ち、本発明に係る転がり玩具１は、球形又はこれに類する転動自在な形状に形成された外殻部材２と、この外殻部材２の中に設けられて外殻部材２の外側から与えられる情報を検出するセンサ２１と、外殻部材２の中に設けられて上記センサ２１からの検出信号を受けたときに外殻部材２の重心位置を電動アクチュエーター８（モーター等）の作動により偏心させる電動偏心機構３とを有している。
このような構成であるから、例えばこの転がり玩具１をペット用玩具として使用する場合、外殻部材２に対して何らかの情報（ペットなどがこの転がり玩具１に近づいたという事実など）が与えられ、この情報をセンサ２１が検出すると、このセンサ２１からの検出信号を受けた電動偏心機構３は、電源１０からの給電によって電気的に作動するようになる。
【０００７】
外殻部材２は球形、又はこれに類する転動自在な形状（例えば多面体や、ラクビーボールのような楕円球など）であるから、電動偏心機構３の作動により外殻部材２の重心位置が偏心すると、この偏心後の重心バランスを釣り合わせようとして、外殻部材２が自ら転がる動作をする。
このようにして転がり玩具１が転がるとき、その転がり方向は外観上は全く予測のつかない方向であり、ペットなどに対して遠ざかったり反対に近づいたりすることになる。そのため、不意をつかれ、またこれを目の当たりにしたペットなどはこの動きに強い興味を起こし、場合によってはこの転がり玩具１から逃げることはあっても、様子を伺いながらまた近づこうとする。従ってまた、転がり玩具１はこれを受けてペットなどに対して遠ざかったり反対に近づいたりすることになる。これらの繰り返しにより、ペットなどは持続してこの転がり玩具１と戯れるようになる。
【０００８】
これらの様子は、飼い主等からは、恰も、動きまわる転がり玩具１をペットなどがおいかけまわすように映ることになり、結果、飼い主等も楽しさを共有し、またその楽しい時間を持続させることができる。
なお、センサ２１、電動偏心機構３、電源１０は外殻部材２に内蔵されたかたちになっており、外観上は露出していないことになる。従って見栄えがよいだけでなく、センサ２１、電動偏心機構３、電源１０は、接触乃至衝撃による破損が防止され、更にペットなどの唾液や雨水などによる破損も防止されるものである。
【０００９】
外殻部材２は、複数の分割体２Ａ，２Ｂに分解したり元の形体へ組み立てたりすることが自在な構造としておき、分解して露出される部分に、電源１０のオンオフスイッチ２０を設けておくのが好適である。これであれば、外殻部材２が転動などするときやペットなどによる噛みつき時、飼い主等の取り扱い時などに、誤ってスイッチ２０がオンからオフに勝手に切り替わってしまうということがない。また、スイッチ２０が接触乃至衝撃により破損したりペットなどの唾液や雨水などで破損したりするということも防止される利点がある。
【００１０】
なお、外殻部材２は直径５ｃｍ以上２０ｃｍ以下の球形を目安として大きさを設定するのが好適である。この程度の大きさが、ペットなどにとって戯れやすく且つ構造的に好適な大きさといえる。すなわち、直径が５ｃｍより小さいと、遠くへ転がっていったときにペットなどにとってもこれを見る飼い主等にとっても見失うおそれがでてくるし、またそもそも、外殻部材２の中へセンサ２１、電動偏心機構３、電源１０を組み込むのが構造的に難しくなる。反対に直径が２０ｃｍを超えると、ペットなどには扱い難いものになる。なお、ペットなどを対象とする場合とは異なって、例えば人間を対象とする場合であれば、直径が２０ｃｍを超えるものとしてもよい。
【００１１】
センサ２１には、光の入射又は遮断を検出する光学センサを用いることができる。このようにすることで、ペットなどが近づいたことを検出することができる。なお、振動センサ、圧力センサ、スピードセンサ、焦電センサや近接スイッチなどを採用することも可能である。
電動偏心機構３は、外殻部材２の中でその重心位置を横断する配置で設けられる旋回支持軸６と、この旋回支持軸６に対して軸心から径方向へ外れた位置に設けられた偏心錘７とを有し、この偏心錘７が電動アクチュエーター８によって旋回支持軸６の軸心まわりを周回可能になったものとすることができる。すなわち、起きあがりこぼしの原理を利用したもので、これであると機構的で簡潔であり、且つ比較的廉価に製作できるのにもかかわらず、見ていて楽しい動きが得られるものとなる。
【００１２】
電動偏心機構３の偏心錘７は、電動アクチュエーター８又はその駆動用電源１０によって形成すればよい。これによって、わざわざ偏心錘７を別個独立して設ける必用がなく、構造の簡潔化及び低廉化を一層すすめることができる。
電動偏心機構３は、偏心錘７における１回の周回角度を１８０°未満として周回方向を不規則に正逆切り替えする制御回路を有したものとするのが好適である。このようにすることで、外殻部材２の転がる距離や方向に関して、ペットや飼い主等が全く予測できないものとなり、意外性を持続できる。すなわち、見飽きることがない。
【００１３】
電動偏心機構３には、センサ２１から検出信号を受けたときに所定時間動作する音声回路２５を設けることができる。この音声回路２５は、例えば人間の話し声や動物の鳴き声などの音声（その他、ブザー音や電子音、音楽などでもよい）を発生させるものとする。
また電動偏心機構３には、センサ２１から検出信号を受けたときに所定時間発光部２８を発光させる発光回路２６を設けることもできる。
これらの音声回路２５や発光回路２６等を設けることで、ペットなどにとって興味が益々高まり、またこれを見る飼い主等も、益々、見ていて楽しいものとなる。
【００１４】
なお、この転がり玩具１はペット用玩具としての実施が限定されるものではなく、人間用の玩具としても実施可能である。
【発明の効果】
【００１５】
本発明に係る転がり玩具では、ペット用玩具として使用する場合にはペットなどによる戯れを持続させることができ、これによってその様子を見る飼い主等の楽しさも持続させることができるようになる。なお、ペット用玩具としてだけでなく、人間用の玩具としても斬新な遊技性が得られる。
【発明を実施するための最良の形態】
【００１６】
以下、本発明の実施の形態を、図面に基づき説明する。
図１乃至図８は、本発明に係る転がり玩具１の一実施形態を示している。この転がり玩具１はその表面全体を外殻部材２に覆い包まれるようになっている。本実施形態の転がり玩具１はペット（特に、犬）用の玩具として適用したものとしてあり、外殻部材２は直径１０ｃｍ程度の球形としている。また図２から明らかなように、この外殻部材２は赤道面で二つ割り状態に分解したり元の球形に組み立てたりが自在に行えるようになっている。
外殻部材２の中には電動偏心機構３が設けられている。図１、図３及び図４から明らかなように、この電動偏心機構３は旋回支持軸６と偏心錘７とを有しており、必用に応じて、この偏心錘７を旋回支持軸６の軸心まわりで周回させるように動作する。偏心錘７を周回動作させる駆動源はモーター等の電動アクチュエーター８とされている。そのため、この電動偏心機構３には、電動アクチュエーター８をはじめとしてこの電動アクチュエーター８に連結されたギヤボックス９と、電動アクチュエーター８に給電するための電源１０とが設けられている。
【００１７】
旋回支持軸６は、外殻部材２の中でその重心位置を横断する配置で設けられている。本実施形態では外殻部材２を球形としているので、旋回支持軸６はこの外殻部材２（球）の中心を通る１本の直径軸に一致させるように配置されたものとしてある。この旋回支持軸６の両端部には、外殻部材２の内周面に当接する軸座１２が設けられており、これら軸座１２によって外殻部材２内を突っ張り状態で架設されるようになっている。この架設状態で、旋回支持軸６は外殻部材２に対して固定され、回転しない。
この旋回支持軸６は、上記したギヤボックス９中を貫通するようになっており、このギヤボックス９の中を通過する部分には、伝動歯車１３が串刺し状に設けられている。この電動歯車１３は旋回支持軸６に対して空回りするものではなく、相対回転不能な状態に固定されている。またこのギヤボックス９には複数の歯車１４が互いに噛合状態で組み込まれており、電動アクチュエーター８に取り付けられた出力ギヤ１５による駆動回転を減速したうえで、この駆動回転を旋回支持軸６に設けられた伝動歯車１３へ伝えるようになっている。
【００１８】
従って、電動アクチュエーター８を作動させると出力ギヤ１５からギヤボックス９内の歯車１４を介して旋回支持軸６の電動歯車１３に駆動回転が伝えられるが、上記したようにこの旋回支持軸６が外殻部材２に対して固定されたものであるから、駆動回転は電動アクチュエーター８側、即ち、ギヤボックス９に対して反力として伝えられ、結果として、このギヤボックス９の方が旋回支持軸６のまわりを周回することになる。
電源１０は乾電池等を主要素とし、この乾電池等を装填する電池ケース１７を介してギヤボックス９に固定されている。この電源１０がギヤボックス９に固定される位置は、旋回支持軸６の軸心から径方向へ外れた位置であり、且つ電動アクチュエーター８よりも遠い位置となるようにしてある。この電源１０が乾電池である場合、その重量は電動アクチュエーター８よりも重くなる。これらのことから、この旋回支持軸６のまわりで電源１０の設けられた位置が重量的に最も重い位置になる。すなわち、本実施形態においてこの電源１０は偏心錘７としての構成及び作用をも兼備したものとなっている。
【００１９】
かくして、上記したように電動アクチュエーター８の作動によってギヤボックス９が旋回支持軸６のまわりを旋回するとき、このギヤボックス９と一緒に偏心錘７（即ち、電源１０）が周回動作することになるのである。この電動偏心機構３において、偏心錘７における１回の周回角度は１８０°未満、好ましくは９０°以内、更に最適な範囲は４５°〜９０°程度としてあり、この設定角度分の周回動作を満たした後、偏心錘７の周回動作は自動停止する。
これに伴い、外殻部材２の重心位置は偏心状態に変わることになる。そのため外殻部材２は、その重心バランスを釣り合わせようとして自ら転がる動作をする。この動作は即ち、起きあがりこぼしの原理を利用したものであり、偏心錘７が真下に位置付けられる状態で重心バランスが釣り合い、動きが停止することになる。
【００２０】
電源１０には飼い主等が手動操作するためのスイッチ２０が設けられており、このスイッチ２０をオンにすれば、電動偏心機構３の制御回路（図示略）を起動させることになり、またオフにすれば制御回路を切断させることになる。ただ、このスイッチ２０を入れても、電動偏心機構３は直ちに動作するものではなく、また仮に動作したとしても１サイクルの動作をした後にすぐに停止状態（待機状態）になるように上記制御回路は回路構成されている。
この制御回路では、スイッチ２０がオン状態とされた後、電動偏心機構３の作動開始は、センサ２１が所定の検出信号を出力することで指示されるようになっている。このセンサ２１は外殻部材２の中に設けられ、外殻部材２の外部から与えられる情報を検出できるようにしてある。なお、このセンサ２１は、偏心錘７とは真反対になるようにすると、外殻部材２が重心バランスを釣り合わせたときに常にセンサ２１が真上を向く状態（即ち、情報を最も受け入れ易い位置）に維持されるようになり、好都合である。
【００２１】
本実施形態において、センサ２１には光学センサを採用してある。光学センサとしては反射型でも透過型でもよい。このようなセンサ２１であると、ペットなどが外殻部材２に近づくことによってそれまでセンサ２１へ入射していた光が遮断されたときや、或いは一旦、遮断された光がペットなどの移動に伴って再び入射するようになったときなどに、これらを情報として検出することになる。
スイッチ２０がオンにされたとき、及びその後にセンサ２１が検出信号を発したときにおいて、偏心錘７が周回動作を行うときの周回動作方向及び周回動作数に関して、例えば図７に示すようなフローチャートに基づいて行われる。
【００２２】
すなわち、スイッチ２０のオン後、センサ２１が１回検出信号を発する（ステップ１０２）と、電動偏心機構３は偏心錘７を前進方向へ周回（以下、「前転」と言う）させる（ステップ１０３）。図８に示すように、このときの前転回数は２回とする。次にセンサ２１から検出信号がある（ステップ１０５）と、電動偏心機構３は偏心錘７を後進方向へ周回（以下、「後転」と言う）させる（ステップ１０６）。このときの後転回数は３回とする。以下、センサ２１から検出信号があるたびに（ステップ１０８，１１１，１１４，１１７，１２０，１２３，１２６，１２９，１３２）、電動偏心機構３は偏心錘７を前転２回（ステップ１０９）、前転２回（ステップ１１２）、後転３回（ステップ１１５）、前転２回（ステップ１１８）、後転３回（ステップ１２１）、後転３回（ステップ１２４）、前転２回（ステップ１２７）、後転３回（ステップ１３０）といった具合に周回動作させる。
【００２３】
このように偏心錘７の周回動作を不規則に正逆切り替えすることで、外殻部材２の転がる距離や方向に関して、ペットや飼い主等が全く予測できないものとなる。そのため、意外性を持続でき、見飽きることがない。
本実施形態では、図６から明らかなように、電動偏心機構３に音声回路２５及び発光回路２６が設けられたものとしてある。
音声回路２５は、人間の話し声や動物の鳴き声、ブザー音、電子音、音楽などの適宜音声を録音した音源と、この音源からの出力を増幅して外殻部材２の外部に居る者の耳に届かせるスピーカー２７（図１等参照）とを有したものとしてあり、センサ２１から検出信号が発せられて電動偏心機構３が作動するときに、電源１０からの給電を受けて所定時間動作するようになっている。
【００２４】
なお、図７に示したように、本実施形態においてこの音声回路２５は猫の鳴き声として「ニャーオン」と「ニャ」との長短二種類を音源に使っている。そして、これらが不規則に出力されるようにしてある。
発光回路２６は、発光ダイオードやフィラメント球など、適宜の発光部２８（図１等参照）を有したものとしてあり、センサ２１から検出信号が発せられて電動偏心機構３が作動するときに、この発光部２８を所定時間だけ発光させるようになっている。発光部２８の発光状態は、連続発光でもよいし点滅発光でもよい。また発光部２８は１個でも複数個でもよい。
【００２５】
これらの音声回路２５や発光回路２６を設けることで、電動偏心機構３の動作が音や光を伴ったものとなり、ペットなどだけでなく飼い主等にとっても興味が益々高まり、また興奮したペットなどを見る飼い主等にとっては益々、見ていて楽しいものとなる。
上記したように外殻部材２は球形であり、その赤道面で二つ割り可能となっている。従ってこの外殻部材２は、図２から明らかなように二つの半球状を呈した分割体２Ａ，２Ｂを有していることになる。それぞれの分割体２Ａ，２Ｂは、分解面側を開口させた中空体であって、その中空部分で電動偏心機構３等を収納させるようになっているが、そのためこの外殻部材２を分割体２Ａ，２Ｂに分解することで、はじめて、電源１０やスイッチ２０が露呈され、電池交換やスイッチ操作が行えることになる。
【００２６】
これら分割体２Ａ，２Ｂの形成材質は特に限定されるものではなく、例えばＰＰ、ＰＳ、シリコン、ゴムをはじめとして、ＡＢＳ、塩化ビニルなどといった適宜樹脂材、鉄板等の金属、木などが使用可能である。硬い材料で内容器を形成させその外側を柔らかい材料で被覆させるようにしてもよい。ただ、センサ２１に対応する部分は、外部からの情報が入りやすいもの（光を情報源とする場合なら透明材料にするといった事）によって形成する必用がある。
分割体２Ａ，２Ｂを分解したり組み立てたりするには、このうち一方側（図例では２Ｂ側）に設けられたフック３１を同他方（図例では２Ａ側）に設けられたフック孔３２へ差し込み、分割体２Ａ，２Ｂを相対逆方向へねじるようにする。フック孔３２は、フック３１の差し込みを許容する大口の開口部分から円弧状に細溝状の開口が延設され、この細溝状の開口にフック３１が入り込むこむことで係止状態が得られる構造である。なお、この構造の採用は特に限定されるものではない。
【００２７】
以上説明したところから明らかなように、本発明に係る転がり玩具１では、まず外殻部材２を一旦、分割体２Ａ，２Ｂに分解してスイッチ２０をオン状態にし、そのうえで分割体２Ａ，２Ｂを元の状態に（球体の外殻部材２として）組み立て、その状態でペットなどに対してその目の前にあてがうようにする。
このとき、飼い主等又はペットなどから受ける情報（光の入射又は遮断情報）をセンサ２１が検出することで、電動偏心機構３、音声回路２５、発光回路２６が作動し、転がりつつ音や光を発するようになる。これでペットなどはこの動き、音、光に強い興味を起こし、外殻部材２に手をかざそうとしたり、追いかけたりしようとする。
【００２８】
すると、これによって再びセンサ２１が検出信号を発し、再び電動偏心機構３、音声回路２５、発光回路２６が作動する。このとき、電動偏心機構３、音声回路２５、発光回路２６の各作動は前回とはその内容が異なっているので、ペットなどは更に興味を強くしてこの転がり玩具１に更に手をかざそうとしたり、追いかけたりしようとする。
このような繰り返しにより、結果としてペットなどは長い時間にわたってこの転がり玩具１と戯れるようになり、これを見る飼い主等も長い時間にわたって楽しさを持続させることができる。
【００２９】
ところで、本発明は、上記した実施形態に限定されるものではなく、実施の形態に応じて適宜変更可能である。
例えば、この転がり玩具１はペット用玩具としての実施が限定されるものではなく、人間用の玩具（例えばビーチボール程度の大きさの玩具）としても実施可能である。
電動偏心機構３は、前転と後転だけでなく、横転などもするように構成させることができる。
電源１０は乾電池の他、ボタン電池でもよい。また太陽電池を用いることも可能で、この場合には外殻部材２の一部を透明にして、この透明部分へ太陽電池の発電部（受光部分）を臨ませるようにすればよい。なお、ボタン電池や太陽電池は軽量であるために偏心錘７として作用を兼備させることが困難になるので、これらを採用する場合には電動アクチュエーター８を偏心錘７として兼用させたり、或いは別個独立して偏心錘７を設けるようにすればよい。
【００３０】
また電源１０にはタイマー回路を組み込むこともできる。このタイマー回路は、センサ２１から一旦、動作信号が出力され、この動作信号が無くなってからの時間をカウントし始め、このカウント数が所定時間に達したとき（センサ２１からの動作信号がないとき）に、音声回路７を作動させるようになっている。これにより、近くにいるペットなどに対して、自発的にこの転がり玩具１による遊びを誘うことができる。
またこのタイマー回路は、音声回路７を作動させてもなお、センサ２１から動作信号が無く、その後のカウント数が所定時間に達したときに、スイッチ２１がオン状態になっていることを無視して回路全体を切断するように回路構成させてもよい。これにより節電が図られる。
【００３１】
電動アクチュエーター８はソレノイドでもよい。
ペットなどに対し首輪などを介して送信機を装着させておき、この送信機から発信される信号を受信する受信機をセンサ２１として採用することができる。このようにすると、送信機を装着したペットなどを、その他のペットや人、或いは諸条件の変化（光の有無等）と判別できるようになる。
音声回路２５に録音回路を設けておけば、飼い主の声やペット自身の鳴き声を録音することも可能になる。
【００３２】
ペットなどが外殻部材２に触れたり持ちあげたりしたときに、これを検出して外殻部材２が振動するような機構を組み込むこともできる。
外殻部材２の形状、大きさ、色、材質などに関しては適宜変更可能である。
【図面の簡単な説明】
【００３３】
【図１】本発明に係る転がり玩具の一実施形態を示した斜視図である。
【図２】図１の転がり玩具を二つの分割体に分解した状態を示した斜視図である。
【図３】図１のＡ−Ａ線矢視に相当させて示した断面図である。
【図４】図３のＢ−Ｂ線矢視に相当させて示した断面図である。
【図５】図１の転がり玩具の使用状況を示した図である。
【図６】電動偏心機構を中心としたブロック構成図である。
【図７】センサと電動偏心機構と音声回路の動作関係を示したフローチャートである。
【図８】電動偏心機構の動作内容を示したロータリーチャートである。
【符号の説明】
【００３４】
１  転がり玩具
２  外殻部材
２Ａ  分割体
２ｂ  分割体
３  電動偏心機構
６  旋回支持軸
７  偏心錘
８  電動アクチュエーター
１０  電源
２０  スイッチ
２１  センサ
２５  音声回路
２６  発光回路
２８  発光部
【図１】
2005168438.tif 000003
【図２】
2005168438.tif 000004
【図３】
2005168438.tif 000005
【図４】
2005168438.tif 000006
【図５】
2005168438.tif 000007
【図６】
2005168438.tif 000008
【図７】
2005168438.tif 000009
【図８】
2005168438.tif 000010